(57)【要約】【課題】  モニターの向きを作業する人の位置に応じて自動的に変更することのできる利便性に優れたキッチン用情報端末装置を提供すること。【解決手段】  キッチン用情報端末装置において、モニター１を任意の角度に移動させる移動手段と、人体の位置を検出する人体検出手段と、人体検出手段による人体位置の検出に基づいて、モニターが人体に向かうように移動手段を作動させる制御手段とを備えている。【選択図】図１
2006178098.tif 000002
【特許請求の範囲】
【請求項１】
キッチン用情報端末装置において、モニターを任意の角度に移動させる移動手段と、人体の位置を検出する人体検出手段と、人体検出手段による人体位置の検出に基づいて、モニターが人体に向かうように移動手段を作動させる制御手段とを備えていることを特徴とするキッチン用情報端末装置。
【請求項２】
移動手段は、左右角度調整機構と仰角調整機構を備えている請求項１記載のキッチン用情報端末装置。
【請求項３】
人体検出手段は、少なくとも２つの位置の異なる音声受信部である請求項１または２記載のキッチン用情報端末装置。
【発明の詳細な説明】
【技術分野】
【０００１】
本願発明は、キッチン用情報端末装置に関するものである。
【背景技術】
【０００２】
料理のレシピ等をモニターで見ながら調理することができるようしたキッチン用情報端末装置が提供されている（たとえば、特許文献１参照）。
【０００３】
モニターで視聴されるコンテンツは、食材、レシピ等の料理に関する情報からＴＶ、ラジオ、ＣＤ等による音楽、ＤＶＤ等の映像、インターネット接続閲覧等の多岐にわたっている。
【特許文献１】特開２００２−２３８６７５号公報
【発明の開示】
【発明が解決しようとする課題】
【０００４】
しかしながら、上記特許文献１記載のキッチン用情報端末装置では、モニターは、調理等を行う人が必要に応じて自由に移動させることができ、作業位置に応じて位置の変更が可能になっているが、モニターの位置の変更は手動式であるため、作業として面倒なものとなっている。
【０００５】
本願発明は、このような事情に鑑みてなされたものであり、モニターの向きを作業する人の位置に応じて自動的に変更することのできる利便性に優れたキッチン用情報端末装置を提供することを課題としている。
【課題を解決するための手段】
【０００６】
本願発明は、上記の課題を解決するために、第１には、キッチン用情報端末装置において、モニターを任意の角度に移動させる移動手段と、人体の位置を検出する人体検出手段と、人体検出手段による人体位置の検出に基づいて、モニターが人体に向かうように移動手段を作動させる制御手段とを備えていることを特徴としている。
【０００７】
本願発明は、第２には、移動手段は、左右角度調整機構と仰角調整機構を備えていることを特徴としている。
【０００８】
本願発明は、第３には、人体検出手段は、少なくとも２つの位置の異なる音声受信部であることを特徴としている。
【発明の効果】
【０００９】
本願発明の第１のキッチン用情報端末装置によれば、モニターの向きを人の位置に応じて自動的に変更することができる。利便性に優れたキッチン用情報端末装置が実現される。
【００１０】
本願発明の第２のキッチン用情報端末装置によれば、モニターを左右および上下方向に回動させることができる。
【００１１】
本願発明の第３のキッチン用情報端末装置によれば、人の発する音声に基づいて人の位置を検出することができる。
【発明を実施するための最良の形態】
【００１２】
図１＜ａ＞＜ｂ＞＜ｃ＞は、それぞれ、本願発明のキッチン用情報端末装置が組み込まれたフロアキャビネットを示した正面図、平面図、側面図である。
【００１３】
モニター１は、支持部２を介してカウンター３の後端部に立設されている。具体的には、モニター１は、シンク４と調理器具５の間に設けられた調理台６の後端部で調理器具５寄りに配置されている。
【００１４】
モニター１を支持する支持部２は、図２＜ａ＞＜ｂ＞に示したように、基部７に対して左右方向に回動自在とされている。支持部２の上端部には横向きに回動軸８が配置され、モニター１は上下方向の回動が自在とされてもいる。
【００１５】
そして、モニター１を任意の角度に移動させる移動手段として、左右角度調整機構９および仰角調整機構１０が設けられている。
【００１６】
左右角度調整機構９および仰角調整機構１０は、いずれも、モーター１１を備えており、モーター１１の回転軸の先端にギア１２が取り付けられている。左右角度調整機構９では、モーター１１の回転軸は縦向きに配置され、支持部２の下端部に取り付けられたギア１３とギア１２が歯合している。一方、仰角調整機構１０では、モーター１１の回転軸は横向きに配置され、回動軸８の一端に設けられたギア１４がギア１２と歯合している。
【００１７】
したがって、左右角度調整機構９において、モーター１１を正逆回転させると、支持部２が回動し、モニター１を左右方向に移動させることができる。また、仰角調整機構１０において、モーター１１を正逆回転させると、回動軸８が回動し、モニター１を上下方向に移動させることができる。
【００１８】
モニター１には、図３に示したように、人体の位置を検出する人体検出手段として、２つの音声受信部１５が、前面上端部の左右に設けられている。音声受信部１５は少なくとも２つあればよいが、配置位置は異なる必要がある。音声受信部１５が異なる位置に配置されていると、図４に示したように、音声受信部１５と音源である人１６との距離が異なり、図４に示した例では、ｌａ＞ｌｂの関係にある。人１６からの距離の違いは、音声受信部１５で集音する音声の強弱となって現れる。この音声の強弱に基づいて人１６の位置を検出することができる。
【００１９】
キッチン用情報端末装置は、図５に示したように、本体１７にＣＰＵ・記憶装置１８を制御手段として内蔵している。検出された人１６の位置に基づき、ＣＰＵ・記憶装置１８では、左右角度調整機構９および仰角調整機構１０に備えたモーター１１の回転角度を算出し、モーター１１を回転させる。左右角度調整機構９および仰角調整機構１０は、上記のとおりに作動するため、モニター１を人１６に向かうように移動させることができる。
【００２０】
このように、本願発明のキッチン用情報端末装置では、モニターの向きを作業する人の位置に応じて自動的に変更することができ、利便性に優れたキッチン用情報端末装置となっている。
【００２１】
なお、本願発明のキッチン用情報端末装置では、人体検知手段として光学式検知センサーを採用することもできる。
【００２２】
光学式検知センサーでは、受光部分が複数に分割されており、その領域に人体が入ることにより、人の位置を検出することができる。このような光学式検知センサーには、振舞いセンサーと一般に呼ばれるものがある。光学式検知センサーは、モニターに組み込むことができる他、フロアキャビネットのカウンターの前端に所定間隔で配設することもできる。
【００２３】
また、本願発明のキッチン用情報端末装置は、フロアキャビネットに設けられるばかりでなく、ウォールキャビネットにも設けることができる。この場合、モニターは、ウォールキャビネットから下方に吊り下げられるように配設される。
【００２４】
さらに、本願発明のキッチン用情報端末装置では、人体の位置を検出した後、リアルタイムにモニターを移動させたり、所定の時間間隔をおいてモニターを移動させたりすることができる。調理時には、シンク、調理器具および調理台の間を複数回移動することがある。この場合、リアルタイムにモニターを移動させるよりは、一定の時間間隔をあけてモニターを移動させた方が、モニターに表示された内容を見るのに適することがあるからである。
【図面の簡単な説明】
【００２５】
【図１】＜ａ＞＜ｂ＞＜ｃ＞は、それぞれ、本願発明のキッチン用情報端末装置が組み込まれたフロアキャビネットを示した正面図、平面図、側面図である。
【図２】＜ａ＞＜ｂ＞は、それぞれ、本願発明のキッチン用情報端末装置における移動手段の一形態を示した側面図、背面図である。
【図３】本願発明のキッチン用情報端末装置における人体検出手段の一実施形態を示した正面図である。
【図４】図３に示した人体検出手段による人の位置の検出原理を示した平面図である。
【図５】本願発明のキッチン用情報端末装置の一実施形態を示したブロック図である。
【符号の説明】
【００２６】
１    モニター
２    支持部
３    カウンター
４    シンク
５    調理器具
６    調理台
７    基部
８    回動軸
９    左右角度調整機構
１０    仰角調整機構
１１    モーター
１２、１３、１４    ギア
１５    音声受信部
１６    人
１７    本体
１８    ＣＰＵ・記憶装置
【図１】
2006178098.tif 000003
【図２】
2006178098.tif 000004
【図３】
2006178098.tif 000005
【図４】
2006178098.tif 000006
【図５】
2006178098.tif 000007